(57)【要約】      （修正有） 【課題】消費電力を低減できる無線マウスを提供する。【解決手段】無線マウスは、マウス本体と、センサーと、電源、及びマウス回路を含み、接触媒体を使用することによって起動するマウスとする。センサー１２０はマウス本体１１０の上に設けられ、センサーは操作者の手などの接触媒体とセンサーとの間の距離に基づいてスイッチ信号を提供する。マウス回路は電源及びセンサーを電気的に連結し、マウス回路はスイッチ信号に基づいて、マウスを起動、或いは非作動にする。【選択図】図１Ａ
0003166993.tif 000002
【実用新案登録請求の範囲】
【請求項１】
接触媒体により起動するマウスであって、
マウス本体と、
前記マウス本体の上に設けられるセンサーであり、前記接触媒体と前記センサーとの間の距離に基づいてスイッチ信号を提供する前記センサーと、
電源と、
前記電源と前記センサーを電気的に連結し、前記スイッチ信号に基づいて、前記マウスを起動或いは非作動にするマウス回路と、
を備えることを特徴とするマウス。
【請求項２】
前記センサーは光学センサーであることを特徴とする請求項１に記載のマウス。
【請求項３】
前記マウス回路は、センサー集積回路とマイクロコントローラーユニットを含み、前記センサー集積回路は前記マイクロコントローラーユニットを電気的に連結し、前記センサーは前記センサー集積回路を電気的に連結し、前記マイクロコントローラーユニットは前記電源を電気的に連結し、前記センサー集積回路は前記スイッチ信号を受け、処理し、前記スイッチ信号を前記マイクロコントローラーユニットに伝送し、前記マイクロコントローラーユニットは前記スイッチ信号に基づいて前記マウスを起動或いは非作動にすることを特徴とする請求項１に記載のマウス。
【請求項４】
前記接触媒体と前記センサーとの間の距離が零の場合、前記マウス回路は前記マウスを起動し、前記接触媒体と前記センサーとの間の距離が零より大きい場合、前記マウス回路は前記マウスを非作動にすることを特徴とする請求項１に記載のマウス。
【請求項５】
前記接触媒体は手のひらであることを特徴とする請求項１に記載のマウス。
【請求項６】
制御インターフェースを更に含み、前記マウス本体は操作表面と、第一端と、第二端とを含み、前記制御インターフェースは前記第一端に隣接すると共に、前記操作表面の上に位置し、前記センサーは前記操作表面の上に位置することを特徴とする請求項１に記載のマウス。
【請求項７】
前記制御インターフェースはホイールを含み、前記操作表面は中央線を含み、前記センサーと前記ホイールのいずれも前記中央線の上に位置し、前記センサーと前記第一端との間に第一距離を有し、前記センサーと前記第二端との間に第二距離を有し、前記第一距離は前記第二距離の約５倍であることを特徴とする請求項６に記載のマウス。
【請求項８】
前記操作表面は握り部を含み、前記握り部は前記マウス本体の側面に位置し、前記センサーは前記握り部の上に位置することを特徴とする請求項６に記載のマウス。
【請求項９】
前記握り部は凹陥を含み、前記センサーは前記凹陥の中に位置することを特徴とする請求項８に記載のマウス。
【請求項１０】
前記握り部は滑り止め刻紋を含むことを特徴とする請求項８に記載のマウス。
【考案の詳細な説明】
【技術分野】
【０００１】
本考案はマウスに関するものであり、特に、消費電力を低減できる無線マウスに関するものである。
【背景技術】
【０００２】
従来の無線光学マウスは、単に、ユーザーが長時間キーを押さない時のみ、自動的に電源を消す。しかし、ユーザーがマウスを使用しないことを確定できるのは相当長い待ち時間が掛かるので、相当に多くの電力が浪費され、無線光学マウスが充電後に使用できる時間は短縮される。
【考案の開示】
【考案が解決しようとする課題】
【０００３】
本考案の目的は消費電力を低減できる無線マウスを提供することにある。
【課題を解決するための手段】
【０００４】
本考案は、従来技術の問題を解決するために、マウス本体と、センサーと、電源、及びマウス回路を含み、接触媒体（タッチという媒介）を使用することによって起動するマウスを提供する。センサーはマウス本体の上に設けられ、センサーは接触媒体とセンサーとの間の距離に基づいてスイッチ信号を提供する。マウス回路は電源及びセンサーを電気的に連結（electrically connected）し、マウス回路はスイッチ信号に基づいて、マウスを起動、或いは非作動とする。
【０００５】
一つの実施態様において、マウス回路はセンサー集積回路とマイクロコントローラーユニット（Microcontroller unit）を含み、センサー集積回路はマイクロコントローラーユニットを電気的に連結し、センサーはセンサー集積回路を電気的に連結し、マイクロコントローラーユニットは電源を電気的に連結し、センサー集積回路はスイッチ信号を受け、且つ処理すると共に、スイッチ信号をマイクロコントローラーユニットに伝送し、マイクロコントローラーユニットはスイッチ信号に基づいてマウスを起動、或いは非作動とする
【０００６】
一つの実施態様において、マウスは制御インターフェースを更に含み、マウス本体は操作表面と、第一端と、第二端とを含み、制御インターフェースは第一端に隣接すると共に、操作表面の上に位置する。センサーは操作表面の上に位置する。制御インターフェースはホイールを含み、操作表面は中央線を含み、センサーとホイールのいずれも中央線の上に位置し、センサーは第一端との間に第一距離を有し、センサーは第二端との間に第二距離を有し、第一距離は第二距離の約５倍である。
【０００７】
もう一つの実施態様において、操作表面は握り部を含み、握り部はマウス本体の側面に位置し、センサーは前記握り部の上に位置する。握り部は凹陥を含み、センサーは前記凹陥の中に位置する。
【０００８】
本考案の実施態様を応用すると、ユーザーの手のひらがセンサーから遠く離れた時、マウス回路は電源を自動的に消すことができ、電力の浪費を避けると共に、無線光学マウスが充電後に使用できる時間を延長することができる。
【考案の効果】
【０００９】
本考案のマウスによれば、電力の浪費を避けると共に、無線光学マウスが充電後に使用できる時間を延長することができる。
【図面の簡単な説明】
【００１０】
【図１Ａ】本考案の第一実施例のマウスを示す側面図である。
【図１Ｂ】本考案の第一実施例のマウスを示す平面図である。
【図２】本考案の第一実施例のマウスのシステムを示すブロック図である。
【図３Ａ】本考案の第二実施例のマウスを示す側面図である。
【図３Ｂ】本考案の第二実施例のマウスの変形例を示す側面図である。
【考案を実施するための最良の形態】
【００１１】
本考案の上記に述べた目的、特長、長所等をさらに分り易く、図面をもって下記の通り説明を行う。
【００１２】
図１Ａと図１Ｂを参照すると、マウス本体１１０と、センサー１２０と、制御インターフェース１３０とを有する本考案の第一実施例のマウス１００を示している。マウス本体１１０は第一端１１１と、第二端１１２と、操作表面１１３とを含み、御インターフェース１３０は第一端１１１に隣接すると共に、操作表面１１３の上に位置し、センサー１２０は操作表面１１３の上に位置し、センサー１２０は制御インターフェース１３０と第二端１１２の間に位置する。
【００１３】
制御インターフェース１３０は、キー１３２とホイール１３１を含み、操作表面は中央線１１４を含み、センサー１２０とホイール１３１はいずれも中央線１１４の上に位置し、センサー１２０と第一端１１１との間に第一距離ｄ１を有し、センサー１２０と第二端１１２との間に第二距離ｄ２を有し、第一距離ｄ１は、第二距離ｄ２の約５倍である。
【００１４】
図２を参照すると、本考案第一実施例のマウスのシステムブロック図を表している。マウス１００は電源１４０とマウス回路１５０とを更に含み、センサー１２０は接触（タッチ）媒体（例えば、ユーザーの手のひら）とセンサー１２０との間の距離に基づいて、スイッチ信号を提供する。マウス回路１５０は、電源１４０とセンサー１２０を電気的に連結（electrically connected）し、マウス回路１５０はスイッチ信号に基づいてマウスを起動、或いは非作動にする。
【００１５】
マウス回路１５０はセンサー集積回路１５２とマイクロコントローラーユニット（Microcontroller unit）１５１を含み、センサー集積回路１５２はマイクロコントローラーユニット１５１を電気的に連結し、センサー１２０はセンサー集積回路１５２を電気的に連結し、マイクロコントローラーユニット１５１は電源１４０を電気的に連結し、センサー集積回路１５２はスイッチ信号を受け、且つ処理すると共に、スイッチ信号をマイクロコントローラーユニット１５１に伝送し、マイクロコントローラーユニット１５１はスイッチ信号に基づいてマウスを起動、或いは非作動にする。制御インターフェース１３０は、マイクロコントローラーユニット１５１を電気的に連結し、制御インターフェース１３０は、マイクロコントローラーユニット１５１に対して、制御信号を入力する。
【００１６】
センサー１２０は光学センサー、或いはその他の形式のセンサーである。一つの実施例において、センサー１２０は接触媒体とセンサー１２０との間の距離を検出する。接触媒体とセンサー１２０との間の距離が零の場合、マウス回路はマウスを起動する。接触媒体と前記センサーとの間の距離が零より大きい場合、マウス回路はマウスを非作動にする。
【００１７】
本考案の実施例を応用すると、ユーザーの手のひらがセンサーから遠く離れた時、マウス回路は電源を自動的に消すことができ、電力の浪費を避けると共に、無線光学マウスが充電後に使用できる時間を延長することができる。
【００１８】
図３Ａを参照すると、本考案の第二実施例のマウス１００’を表している。操作表面１１３は握り部１１５を含み、握り部１１５はマウス本体１１０の側面に位置し、センサー１２０は握り部１１５の上に位置する。ユーザーがマウス１００’を操作する時、マウスの移動を便利にするために、ユーザーの親指は握り部１１５に接触することができると同時に、センサー１２０に触れることによって電源を起動する。一つの変形例において、握り部１１５は凹陥を含み、センサー１２０は凹陥の中に位置する。図３Ｂに第二実施例のマウスの変形例を示す。図３Ｂにおいて、握り部１１５は滑り止め刻紋１１６を含む。
【００１９】
以上、本考案の好適な実施例を挙げて本考案を説明したが、本発明はこれら実施例に限定はされないと解されるべきであり、つまり本発明は、（当業者であれば自明であるような各種変更および均等なアレンジをカバーするものである。上に掲げた実施例は、本発明の原理を説明するための最良の態様を提示すべく選択し記載したものである。即ち、添付の特許請求の範囲は、かかる各種変更および均等なアレンジが全て包含されるように、最も広い意味に解釈されるべきである。
【符号の説明】
【００２０】
１００、１００’  マウス
１１０  マウス本体
１１１  第一端
１１２  第二端
１１３  操作表面
１１４  中央線
１１５  握り部
１２０  センサー
１３０  制御インターフェース
１３１  ホイール
１３２  キー
１４０  電源
１５０  マウス回路
１５１  マイクロコントローラー
１５２  センサー集積回路
【図１Ａ】
0003166993.tif 000003
【図１Ｂ】
0003166993.tif 000004
【図２】
0003166993.tif 000005
【図３Ａ】
0003166993.tif 000006
【図３Ｂ】
0003166993.tif 000007